(57)【要約】【課題】状況に応じた画像送信を行うことが可能な撮像装置を提供すること。【解決手段】撮影モード時においては、表示部１２３におけるスルー画表示のために撮像部１２１の一部の画素の画像信号が読み出される。この読み出された画像信号に基づいて表示用の画像が表示される。この際、カメラ１００が送信モードであれば、表示用の画像信号が仮記録部１２５に記録される。撮影後においてカメラ１００が送信モードであれば、仮記録部１２５に記録された画像信号が外部機器３００に送信される。再生モード時においてカメラ１００が送信モードとなった場合には、そのとき再生されている画像に対応した記録部１２４内の画像がリサイズされて外部機器３００に送信される。【選択図】図１
2012049990.tif 000002
【特許請求の範囲】
【請求項１】
画像を表示する表示部と、
被写体を撮像して、該被写体に係る第１の画像信号を取得する撮像部と、
上記撮像部で取得された第１の画像信号の一部を第２の画像信号として選択する画像信号選択部と、
上記第１の画像信号を記録する記録部と、
上記第１の画像信号を上記記録部に記録させるための操作に先立って、上記第２の画像信号に基づく画像を上記表示部に表示させ、上記記録部に記録された上記第１の画像信号を再生するための操作に応じて、上記記録部に記録された上記第１の画像信号に基づく画像を上記表示部に表示させる表示制御部と、
外部機器と通信するための通信部と、
上記第１の画像信号を上記記録部に記録させるための操作に伴って上記通信部による通信を行う際には、上記第２の画像信号を上記外部機器に送信し、上記記録部に記録された上記第１の画像信号を再生するための操作に伴って上記通信部による通信を行う際には上記記録部に記録された上記第１の画像信号を上記外部機器に送信するように上記通信部を制御する通信制御部と、
を具備することを特徴とする撮像装置。
【請求項２】
上記第１の画像信号を上記外部機器の種類に応じてリサイズするリサイズ部をさらに具備し、
上記通信制御部は、上記記録部に記録された上記第１の画像信号を再生するための操作に伴って上記通信部による通信を行う際には、上記リサイズ部でリサイズされた上記第１の画像信号を上記外部機器に送信するように上記通信部を制御することを特徴とする請求項１に記載の撮像装置。
【請求項３】
上記第２の画像信号を逐次記録する仮記録部をさらに具備し、
上記通信制御部は、上記第１の画像信号を上記記録部に記録させるための操作に伴って上記通信部による通信を行う際には、上記仮記録部に記録された上記第２の画像信号の中で、最後に記録された上記第２の画像信号を上記外部機器に送信することを特徴とする請求項１に記載の撮像装置。
【発明の詳細な説明】
【技術分野】
【０００１】
本発明は、通信機能を有する撮像装置に関する。
【背景技術】
【０００２】
近年、デジタルカメラ等の撮影により得られた画像をデジタル信号として記録できる機能を有する機器（撮像装置）が普及している。また、近年の撮像装置は、通信機能を有するものも多くなってきており、撮像装置で得られた画像を様々な機器で共有可能となっている。ここで、近年の撮像装置は高画素化が進んできており、これに伴って画像の通信に必要な時間も長くかかる傾向にある。これに対し、特許文献１では、撮影により得られた画像をブログ等に利用するのに必要なサイズにリサイズ（縮小）してからサーバに送信するようにして、短時間での画像の通信を可能としている。
【先行技術文献】
【特許文献】
【０００３】
【特許文献１】特開２００９−８１６３５号公報
【発明の概要】
【発明が解決しようとする課題】
【０００４】
ここで、特許文献１では画像のリサイズによる通信時間の短縮については考慮されているものの、機器に応じた画像のサイズの最適化までは言及されていない。例えば、ＨＤ（High Definition）画質の再生機器に、ＨＤサイズよりも大きなサイズ（画素数）の画像を送っても、送られた画像の中で表示できない部分については利用されないにも関わらず、通信時間についてはそのサイズ分だけかかってしまう。また、通信先の機器が携帯電話機等の場合には、通常、縦長の画面上で画像が鑑賞される。このため、送信する画像も横長の画像よりも縦長の画像とするほうが良い。さらに、大きな印画紙に対応したプリンタに画像を送信する場合には、通信時間が多少かかったとしても画像サイズ（画素数）を多くしたほうが良い。
【０００５】
本発明は、上記の事情に鑑みてなされたもので、状況に応じた画像送信を行うことが可能な撮像装置を提供することを目的とする。
【課題を解決するための手段】
【０００６】
上記の目的を達成するために、本発明の一態様の撮像装置は、画像を表示する表示部と、被写体を撮像して、該被写体に係る第１の画像信号を取得する撮像部と、上記撮像部で取得された第１の画像信号の一部を第２の画像信号として選択する画像信号選択部と、上記第１の画像信号を記録する記録部と、上記第１の画像信号を上記記録部に記録させるための操作に先立って、上記第２の画像信号に基づく画像を上記表示部に表示させ、上記記録部に記録された上記第１の画像信号を再生するための操作に応じて、上記記録部に記録された上記第１の画像信号に基づく画像を上記表示部に表示させる表示制御部と、外部機器と通信するための通信部と、上記第１の画像信号を上記記録部に記録させるための操作に伴って上記通信部による通信を行う際には、上記第２の画像信号を上記外部機器に送信し、上記記録部に記録された上記第１の画像信号を再生するための操作に伴って上記通信部による通信を行う際には上記記録部に記録された上記第１の画像信号を上記外部機器に送信するように上記通信部を制御する通信制御部と、を具備することを特徴とする。
【発明の効果】
【０００７】
本発明によれば、状況に応じた画像送信を行うことが可能となる。
【図面の簡単な説明】
【０００８】
【図１】本発明の一実施形態に係る撮像装置を有する画像通信システムの構成について説明するための図。
【図２】画像通信システムの動作の概要を説明するための図。
【図３】カメラの動作を示すフローチャート。
【図４】リサイズ処理について説明するための図。
【発明を実施するための形態】
【０００９】
以下、図面を参照して本発明の実施形態を説明する。  
図１は、本発明の一実施形態に係る撮像装置を有する画像通信システムの構成について説明するための図である。本画像通信システムは、図１に示すように、撮像装置１００と、アクセサリ２００と、外部機器３００とを有している。撮像装置１００は、例えばデジタルカメラ（以下、カメラという）であり、アクセサリ２００を着脱自在に構成されている。例えば図２（ａ）に示すようにしてカメラ１００にアクセサリ２００が装着された場合、図示しないロック機構により、アクセサリ２００がカメラ１００の本体に固定される。この状態で、カメラ１００とアクセサリ２００とが通信自在に接続される。また、アクセサリ２００と外部機器３００とは互いに無線通信自在に構成され、カメラ１００にアクセサリ２００が装着されている状態で、カメラ１００において得られた画像を、アクセサリ２００を介して外部機器３００に逐次送信することが可能である。また、図２（ｂ）に示すように、アクセサリ２００をカメラ１００に装着した状態でカメラ内又はアクセサリ内の画像の再生を行うことも可能であり、この状態でアクセサリ２００は、外部機器３００と無線通信自在に構成されている。さらに、アクセサリ２００は、カメラ１００から分離した状態で持ち運ぶことも可能である。カメラ１００から分離した状態でもアクセサリ２００は、外部機器３００と無線通信自在に構成されている。また、アクセサリ２００は、図２（ｃ）に示すように、カメラ１００から分離された状態で、外部機器３００と有線通信自在にも構成されている。
【００１０】
カメラ１００は、交換レンズ１１０と、本体１２０とを有している。交換レンズ１１０は、本体１２０に対して着脱自在に構成されている。本体１２０に交換レンズ１１０が装着された場合には、交換レンズ１１０と本体１２０とが通信自在に接続される。この場合、交換レンズ１１０は本体１２０の制御に従って動作する。なお、図１では、カメラ１００の例としてレンズ交換可能なカメラを例示しているが、カメラ１００は必ずしもレンズ交換可能とする必要はない。
【００１１】
交換レンズ１１０は、レンズ部１１１と、レンズ制御部１１２とを有している。レンズ部１１１は、複数のレンズや絞り等から構成され、図示しない被写体からの光束を本体１２０内部の撮像部１２１に入射させるための光学系である。レンズ制御部１１２は、通信部１１２ａを有しており、通信部１１２ａを介して本体１２０と通信可能になされている。このレンズ制御部１１２は、通信部１１２ａを介して本体１２０から入力されるレンズ制御信号に応じて、例えばフォーカシング制御やズーミング制御といったレンズ部１１１を構成する各種のレンズの制御を行う。
【００１２】
本体１２０は、撮像部１２１と、音声収録部１２２と、表示部１２３と、記録部１２４と、仮記録部１２５と、制御部１２６と、操作部１２７と、計時部１２８と、通信部１２９と、通信部１３０とを有している。撮像部１２１は、撮像素子等を有している。この撮像部１２１は、レンズ部１１１を介して入射した光束（画像情報）を光電変換することにより画像信号を取得する。ここで、本実施形態の撮像部１２１は、撮像素子の一部の画素からの画像信号を読み出す選択読み出しも可能になされている。音声収録部１２２は、マイクロホン等を有し、カメラ１００の周辺の音声を電気信号に変換することにより音声信号を取得する。表示部１２３は、例えば液晶ディスプレイ（ＬＣＤ）や有機エレクトロルミネッセンスディスプレイ（ＯＥＬＤ）等の表示部であり、各種の画像を表示する。記録部１２４は、例えばカメラ１００に内蔵の不揮発性メモリであり、制御部１２６によって生成された画像ファイルや音声ファイル等の各種のデータを記録する。仮記録部１２５は、例えばＲＡＭで構成され、表示部１２３におけるスルー画表示（ライブビュー表示等とも言う）の際に、制御部１２６によって撮像部１２１を介して取り込まれた画像信号を仮記録する。制御部１２６は、例えばＣＰＵから構成されており、表示部１２３における表示制御を行う表示制御部としての処理や、通信部１３０の制御を行う通信制御部としての処理等の、本体１２０の各種の処理を実行する。また、制御部１２６は、画像処理部（リサイズ部）及び音声処理部としての機能も有しており、撮像部１２１から取り込んだ画像信号に対して表示用の画像処理や記録用の画像処理（リサイズ処理等）を施したり、音声収録部１２２を介して取り込んだ音声信号に対して記録用の音声処理を施したりもする。さらに、本実施形態における制御部１２６は、撮像部１２１において得られた画像信号（第１の画像信号）の一部を第２の画像信号として選択して取り込むための画像信号選択部としての機能も有している。操作部１２７は、カメラ１００のユーザが本体１２０に対して各種の操作指示を与えるための各種の操作部材である。操作部１２７としては、例えばカメラ１００の電源をオン又はオフするための電源ボタン、カメラ１００に対して撮影実行の指示を行うためのレリーズボタン、カメラ１００の動作モードを設定するためのモードボタン、カメラ１００における各種の選択を行うための選択ボタン等の種々の操作部が含まれる。操作部１２７の操作を受けた場合に、制御部１２６は、操作部１２７の操作内容に応じた各種の処理を制御する。計時部１２８は、撮影時刻や録音時刻等の各種の時間を計時する。通信部１２９は、制御部１２６が交換レンズ１１０と通信するためのインターフェースである。通信部１３０は、制御部１２６が本体１２０に接続されているアクセサリ２００と有線通信するためのインターフェースと、制御部１２６が外部機器３００と無線通信するためのインターフェースとを備えている。なお、通信部１３０に用いられる有線通信インターフェースとしては、例えばＵＳＢインターフェースを用いることができる。通信部１３０に用いられる無線通信インターフェースとしては、例えばブルートゥース（登録商標）用のインターフェースを用いることができる。
【００１３】
アクセサリ２００は、記録部２０１と、制御部２０２と、通信部２０３と、外部機器通信部２０４とを有している。記録部２０１は、カメラ１００で得られた画像をさらに画像処理（リサイズ処理）することによって得られる画像ファイル等の各種のデータを記録する。制御部２０２は、例えばＣＰＵから構成されており、アクセサリ２００の各種の処理を制御する。通信部２０３は、例えばカメラ１００と有線通信を行うための通信インターフェースとして、例えばＵＳＢインターフェース等の有線通信用のインターフェースを備えている。外部機器通信部２０４は、外部機器（例えば、テレビジョン受像機（テレビ）や携帯電話機）３００と無線通信を行うためのインターフェースを備えている。外部機器通信部２０４における無線通信は、ブルートゥース通信等の各種の方式を用いることができる。
【００１４】
外部機器３００は、表示部３０１と、制御部３０２と、外部機器通信部３０３とを有している。表示部３０１は、アクセサリ２００から受信された画像ファイルに基づく画像等の各種の画像を表示する。なお、図１では、表示部が設けられている例を示しているが、表示部に代えて印刷部を設けるようにしても良い。制御部３０２は、例えばＣＰＵから構成されており、外部機器３００の各種の処理を制御する。外部機器通信部３０３は、アクセサリ２００と無線通信及び有線通信を行うためのインターフェースを備えている。なお、外部機器３００は、画像の出力（表示又は印刷）機能と、アクセサリ２００との通信機能とを有していれば、その他の構成については特に限定されるものではない。
【００１５】
次に、図２を参照して、本実施形態における画像通信システムの動作の概要を説明する。本実施形態においては、カメラ１００の動作モードが撮影モードの場合に、カメラ１００の本体１２０にアクセサリ２００を装着して撮影を行うことができる。撮影によって得られた画像（画像Ａ）は、記録部１２４に記録される。また、撮影結果の確認のために、撮影によって得られた画像Ａを、図２（ａ）に示すようにして、カメラ１００の本体１２０に設けられた表示部１２３に表示させることもできる。さらに、本実施形態では、カメラ１００の動作が撮影モードの場合に、図２（ａ）に示すようにして、撮像部１２１を介して得られた画像Ａを、アクセサリ２００を介して、逐次、外部機器（図の例ではテレビ）３００に送信することができる。このような動作により、カメラ１００において得られた画像を、直ちに外部機器３００の表示部３０１において確認することが可能である。
【００１６】
一般に、撮像部１２１を構成する撮像素子の画素数よりも、外部機器３００の表示部３０１の画素数のほうが少ないことが知られている。したがって、記録部１２４に記録される画像の全範囲をそのまま外部機器３００に送信しても、送信された画像の全てを外部機器３００にて表示させることはできない。これに対し、本実施形態では、表示部３０１の画素数に応じた画素数（サイズ）の画像を送信することで送信時間の短縮を図る。撮影モード時において送信する画像としては、撮影に先立ってカメラ１００において作成されるスルー画表示（ライブビュー表示等とも呼ばれる）用の画像を用いる。
【００１７】
また、本実施形態においては、カメラ１００の動作モードが再生モードの場合に、カメラ１００の本体１２０にアクセサリ２００を装着して画像の再生を行うことができる。本実施形態では、カメラ１００の動作が再生モードの場合に、図２（ｂ）に示すようにして、記録部１２４（或いはアクセサリ２００の記録部２０１）に記録された画像（画像Ａ）を、アクセサリ２００を介して、外部機器３００に送信することができる。このような動作により、カメラ１００の記録部１２４に記録された画像Ａを外部機器３００の表示部３０１に表示させたりして、画像Ａを外部機器３００のユーザも共有することが可能である。再生モード時において送信する画像としては、記録部１２４に記録された画像を送信先の外部機器３００の種類に応じてリサイズしたものを用いる。
【００１８】
さらに、上述したように、アクセサリ２００は、カメラ１００から分離した状態でも使用することが可能である。例えば、図２（ｃ）に示すようにして、アクセサリ２００と外部機器３００とを有線接続することにより、アクセサリ２００の記録部２０１に記録されている画像（画像Ａ、Ｂ、Ｃ、Ｄ）を外部機器３００に送信することが可能である。このような動作により、アクセサリ２００の記録部２０１に記録された画像Ａ、Ｂ、Ｃ、Ｄを外部機器３００の表示部３０１に表示させたりして、アクセサリ２００の記録部２０１に記録された画像を外部機器３００のユーザも共有することが可能である。また、アクセサリ２００と外部機器３００との通信により、記録部２０１内の画像を比較的大画面の表示部３０１上で確認しつつ、整理したりすることも可能である。ここで、記録部２０１に記録された画像はリサイズがなされた画像であるので、アクセサリ２００から外部機器３００に画像を送信するに当たって画像をリサイズする必要はない。また、アクセサリ２００と外部機器３００との有線通信の際に、アクセサリ２００の通信部２０３を用いるようにすれば、新たな有線通信部をアクセサリ２００に設ける必要がなく、コスト的及びスペース的なデメリットを生じることがない。
【００１９】
図３は、本実施形態におけるカメラ１００の動作を示すフローチャートである。カメラ１００のユーザの操作部１２７の操作によって、カメラ１００の電源がオンされることによって、図３の動作が開始される。カメラ１００の制御部１２６は、まず、カメラ１００の動作モードが撮影モードであるか否かを判定する（Ｓ１０１）。上述したように、動作モードは、例えば操作部１２７のモードボタンの操作によって設定される。Ｓ１０１において、動作モードが撮影モードである場合に、制御部１２６は、スルー画表示を行うための表示用の撮像を撮像部１２１に実行させる（Ｓ１０２）。その後、制御部１２６は、撮像部１２１の撮像素子に蓄積された有効な画像信号のうち、所定画素部の画像信号をデジタル信号として読み出す（Ｓ１０３）。Ｓ１０３において読み出す部分は、表示部１２３の表示に必要な範囲に対応させる。この際、表示部１２３の表示範囲に対応した部分の画像信号が得られれば良いので、例えば、数画素おきに画像信号を読み出したり、複数の隣接画素の画像信号を加算してから読み出したりしても良い。この他、読み出し時においては全画素部の画像信号を読み出し、読み出し後の画像信号を表示部１２３の表示サイズに合わせてリサイズするようにしても良い。画像信号の読み出し後、制御部１２６は、読み出した画像信号に表示用の各種の画像処理を施し、画像処理により得られた表示用の画像信号に基づく画像を表示部１２３に表示させる（Ｓ１０４）。このようなスルー画表示により、実際の撮影前に構図等を確認することが可能である。
【００２０】
Ｓ１０４のスルー画表示の後、制御部１２６は、カメラ１００が送信モードである否かを判定する（Ｓ１０５）。送信モードであるか否かの判定は、例えばアクセサリ２００と外部機器３００との通信接続が確立したか否かを判定する。この判定を行うためには、例えば、アクセサリ２００と外部機器３００との通信接続が確立した際に、その旨を示す信号がアクセサリ２００からカメラ１００の制御部１２６に送信されるようにしておけば良い。この他、例えばユーザがカメラ１００を送信モードにするように指示するための操作部をカメラ１００に設けるようにすれば、当該操作部が操作されたか否かをＳ１０５において判定するようにしても良い。Ｓ１０５において、カメラ１００が送信モードである場合（或いは送信モードとするように指示された場合）に、制御部１２６は、Ｓ１０４において得られた表示用の画像信号を仮記録部１２５に仮記録する（Ｓ１０６）。その後、制御部１２６は、仮記録部１２５に所定量（例えば仮記録部１２５の容量分）の画像信号が記録されたか否かを判定する（Ｓ１０７）。Ｓ１０７において、仮記録部１２５に所定量の画像信号が記録された場合に、制御部１２６は、仮記録部１２５に記録されている画像信号の中で、最も古い画像信号を仮記録部１２５から消去する（Ｓ１０８）。
【００２１】
Ｓ１０５、Ｓ１０７又はＳ１０８の後、制御部１２６は、撮影指示がなされたか否かを判定する（Ｓ１０９）。撮影指示とは、例えば操作部１２７のレリーズボタンの操作である。Ｓ１０９において、撮影指示がなされていない場合に、制御部１２６は、Ｓ１０１からの処理を実行する。即ち、撮影実行が指示されるまでは、スルー画表示やそれに伴う画像信号の仮記録が繰り返される。一方、Ｓ１０９において、撮影指示がなされた場合に、制御部１２６は、記録用の撮像を撮像部１２１に実行させる（Ｓ１１０）。記録用の撮像として、制御部１２６は、シーンの明るさ等から撮像素子の適正露出量を算出する。そして、制御部１２６は、算出した適正露出量に従って撮像部１２１の撮像動作を制御する。記録用の撮像後、制御部１２６は、撮像部１２１の撮像素子に蓄積された画像信号の全有効画素部分の画像信号をデジタル信号として読み出す（Ｓ１１１）。続いて、制御部１２６は、読み出した画像信号に対して記録用の各種の画像処理を施し、画像処理の結果として得られた画像信号に撮影時刻等の情報を付与して画像ファイルを作成し、作成した画像ファイルを記録部１２４に記録させる（Ｓ１１２）。また、制御部１２６は、例えば動画撮影時等、必要に応じて、音声収録部１２２を介して得られた音声ファイルを記録部１２４に記録させる。
【００２２】
画像ファイル（及び音声ファイル）を記録部１２４に記録した後、制御部１２６は、現在、撮影モード中の送信モードであるか否かを判定する（Ｓ１１３）。Ｓ１１３において、撮影モード中の送信モードである場合に、制御部１２６は、Ｓ１０６において仮記録部１２５に仮記録した画像信号の中で、最後に記録された最終仮記録画像を、通信部１３０を介して外部機器３００に送信する（Ｓ１１４）。なお、アクセサリ２００が装着されている場合には、アクセサリ２００の外部機器通信部２０４を介して送信するようにしても良い。Ｓ１１３又はＳ１１４の後、制御部１２６は、カメラ１００にアクセサリ２００が装着されているか否かを判定する（Ｓ１１５）。Ｓ１１５において、アクセサリが装着されている場合に、制御部１２６は、Ｓ１１２において記録された画像信号をリサイズ（縮小）して本体１２０に装着されているアクセサリ２００への記録用の画像ファイルを生成し、生成したアクセサリ２００への記録用の画像ファイルを、通信部１３０を介してアクセサリ２００に送信する（Ｓ１１６）。これにより、アクセサリ２００の記録部２０１には、カメラ１００による撮影に従って得られた画像信号に対応したリサイズ画像ファイルがコピーされる。Ｓ１１６の後、制御部１２６は、Ｓ１０１からの処理を実行する。
【００２３】
また、Ｓ１０１において、撮影モードでない、即ち再生モードである場合に、制御部１２６は、カメラ１００にアクセサリ２００が装着されているか否かを判定する（Ｓ１１７）。Ｓ１１７において、アクセサリが装着されていない場合に、制御部１２６は、カメラ１００の記録部１２４に記録されている画像ファイルの一覧（サムネイル画像）を表示部１２３に表示させる（Ｓ１１８）。また、Ｓ１１７において、アクセサリが装着されている場合に、制御部１２６は、カメラ１００の記録部１２４に記録されている画像ファイルの一覧とアクセサリ２００の記録部２０１に記録されている画像ファイルの一覧の両方を表示部１２３に表示させる（Ｓ１１９）。画像ファイルの一覧表示の後、制御部１２６は、例えばカメラ１００のユーザの操作部１２７の選択ボタンの操作に従って画像ファイルの選択がなされたか否かを判定する（Ｓ１２０）。Ｓ１２０において、画像ファイルの選択がなされていない場合に、制御部１２６はＳ１１７からの処理を実行する。また、Ｓ１１７において、画像ファイルの選択がなされた場合に、制御部１２６は、選択された画像ファイルを再生する（Ｓ１２１）。即ち、制御部１２６は、画像ファイル内の画像信号を伸張し、伸張した画像信号に基づく画像を表示部１２３に表示させる。
【００２４】
画像ファイルの再生後、制御部１２６は、カメラ１００が送信モードである否かを判定する（Ｓ１２２）。送信モードであるか否かの判定は、Ｓ１０５の判定と同様にして行うことができる。Ｓ１２２において、カメラ１００が送信モードでない場合に、制御部１２６は、Ｓ１２５からの処理を実行する。一方、Ｓ１２２において、カメラ１００が送信モードである場合に、制御部１２６は、現在再生中の画像に対応した画像信号のリサイズ処理を行う（Ｓ１２３）。このリサイズ処理において、制御部１２６は、図４（ａ）に示すような、送信先の外部機器３００の種類を選択させるための機器選択画面を表示させる。図４（ａ）は、テレビ、携帯電話機、プリンタのそれぞれを示すソフトウェアボタン１２３ａ〜１２３ｃを機器選択画面上に表示させた例を示している。ユーザは、これらのボタンの何れかを選択することにより、送信先の外部機器３００を選択する。これにより、図４（ｂ）のような画面が表示される。図４（ｂ）の画面において、ユーザが送信ボタン１２３ｄを選択すると、図４（ａ）の機器選択画面上で選択された外部機器に対応するようにリサイズが行われる。例えば、テレビボタン１２３ａが選択された場合には、画像信号のサイズが送信先のテレビの解像度（表示画素数。例えばフルＨＤサイズであれば、１９２０×１０８０画素）と一致するように画像信号がリサイズされる。また、携帯電話ボタン１２３ｂが選択された場合には、画像信号のサイズが送信先の携帯電話の表示部の解像度と一致するように画像信号がリサイズされるとともに、画像信号のアスペクト比が変更される。通常、カメラ１００で得られる画像は横長の画像であるため、携帯電話機の表示部に適するように画像を縦長とする。さらに、プリンタボタン１２３ｃが選択された場合には、特にリサイズの処理を行わない。また、図４（ｂ）の画面において、ユーザが戻るボタン１２３ｅを選択すると、図４（ａ）の機器選択画面が表示部１２３に再度表示され、再度の外部機器の選択を行うことができる。
【００２５】
ここで、図４（ａ）では、３種類の外部機器の中から送信先の外部機器を選択できるようにし、それに応じて画像信号のリサイズを行うようにしている。これに対し、送信時の画像信号のリサイズ率をユーザが直接指定できるようにしても良い。また、図４（ａ）では、４種類以上の外部機器の中から送信先の外部機器を選択できるようにしても良い。
【００２６】
Ｓ１２３のリサイズ処理の後（図４（ｂ）の画面上において、送信ボタン１２３ｄが選択された後）、制御部１２６は、リサイズ処理の結果として得られた画像ファイルを外部機器３００に送信する（Ｓ１２４）。その後、制御部１２６は、再生モードを終了するか否かを判定する（Ｓ１２５）。例えば、再生モードから撮影モードへ切り替える操作がなされた場合や再生終了の操作がなされた場合に再生モードを終了すると判定する。Ｓ１２５において、再生モードを終了しない場合に、制御部１２６は、Ｓ１２１からの処理を実行する。また、Ｓ１２５において、再生モードを終了する場合に、制御部１２６は、Ｓ１０１からの処理を実行する。
【００２７】
以上説明したように、本実施形態では、撮影モード時には、スルー画表示のために得られた表示用の画像信号を仮記録部１２５に仮記録している。そして、撮影モード時に画像ファイルを外部機器３００に送信する場合には、仮記録部１２５に記録しておいた画像ファイルを送信するようにしている。仮記録部１２５に記録される画像信号は、撮像部１２１の全画素分の画像信号よりも小サイズの画像信号である。このため、仮記録部１２５に記録される画像信号を送信することで、短時間で画像信号の送信を終了させることが可能となる。また、仮記録部１２５に最後に仮記録した画像信号である最終仮記録画像を送信することにより、撮影により得られた画像信号とほぼ同じ時刻に得られた画像信号を送信することが可能となる。これにより、カメラ１００で撮影された画像とほぼ同じ画像を、外部機器３００において確認することが可能である。また、再生モード時に画像ファイルを外部機器３００に送信する場合には、送信先の外部機器の種類に応じて画像信号をリサイズしてから送信するようにしている。これにより、用途に応じたサイズの画像信号を送信することが可能となる。
【００２８】
ここで、本実施形態の技術は、１回の撮影指示に応じて複数回の撮影を繰り返し行う連写モードを有するカメラにも適用可能である。この場合には、撮影実行の指示がなされた後、１回の撮像が終了する毎に、全画素分の画像信号の読み出しと並行して、読み出しにより得られた画像信号の一部を仮記録部１２５に記録し、この記録した画像信号を外部機器３００に逐次送信する。このような構成とすることにより、連写動作に追従した画像送信を行うことが可能である。また、連写モードでなければ必ずしも高速の通信が必要ないため、連写モードの場合の画像ファイルの送信時には仮記録部１２５に記録された画像信号を送信するようにし、それ以外の例えば単写モードの場合には画像ファイルの送信時において再生モード時と同様のリサイズ処理を行えるようにしても良い。
【００２９】
以上実施形態に基づいて本発明を説明したが、本発明は上述した実施形態に限定されるものではなく、本発明の要旨の範囲内で種々の変形や応用が可能なことは勿論である。
【符号の説明】
【００３０】
１００…撮像装置（カメラ）、１１０…交換レンズ、１１１…レンズ部、１１２…レンズ制御部、１２０…本体、１２１…撮像部、１２２…音声収録部、１２３…表示部、１２４…記録部、１２５…仮記録部、１２６…制御部、１２７…操作部、１２８…計時部、１２９…通信部、１３０…通信部、２００…アクセサリ、２０１…記録部、２０２…制御部、２０３…通信部、２０４…外部機器通信部、３００…外部機器、３０１…表示部、３０２…制御部、３０３…外部機器通信部
【図１】
2012049990.tif 000003
【図２】
2012049990.tif 000004
【図３】
2012049990.tif 000005
【図４】
2012049990.tif 000006